(57)【要約】      （修正有）【課題】ごみ箱本体の中に設置したごみ袋の上部がごみ箱本体の上部の内壁から下方にずり落ちないごみ箱とごみ袋保持具を提供する。【解決手段】ごみ箱本体１２と、ごみ箱本体１２内に挿入されるごみ袋を保持するごみ袋保持体１４とを備え、ごみ箱本体１２は上部が開口し、底部が塞がっている容器からなり、ごみ袋保持体１４は、ごみ袋を囲繞し、ごみ袋の上部の折り返し部をごみ箱本体１２の上部の内壁との間で挟み、ごみ袋の上部を開口保持する環状部を有し、環状部の形状及び大きさはごみ箱本体１２の上部の内側の形状及び大きさと略同一になっている。【選択図】図１
0003214637.tif 000002
【実用新案登録請求の範囲】
【請求項１】
ごみ箱本体と、該ごみ箱本体内に挿入されるごみ袋を保持するごみ袋保持体とを備え、該ごみ箱本体は上部が開口し、底部が塞がっている容器からなり、該ごみ袋保持体は、該ごみ袋を囲繞し、該ごみ袋の上部の折り返し部を該ごみ箱本体の上部の内壁との間で挟み、該ごみ袋の上部を開口保持する環状部を有し、該環状部の形状及び大きさは該ごみ箱本体の上部の内側の形状及び大きさと略同一であることを特徴とするごみ箱。
【請求項２】
前記環状部が可撓性を有する材料からなることを特徴とする請求項１に記載のごみ箱。
【請求項３】
前記ごみ袋保持体が筒状体からなり、該筒状体の上部が前記環状部になっていることを特徴とする請求項１に記載のごみ箱。
【請求項４】
前記略筒状体に長手方向に向けて切り込みが間隔をおいて設けられていることを特徴とする請求項３に記載のごみ箱。
【請求項５】
前記ごみ袋保持体が環状部と、該環状部を下方から支える複数の支持桿からなることを特徴とする請求項１に記載のごみ箱。
【請求項６】
前記支持桿の下端部がリング状に繋がっていることを特徴とする請求項５に記載のごみ箱。
【請求項７】
ごみ箱本体内に挿入されるごみ袋を囲繞し、該ごみ袋の上部の折り返し部を該ごみ箱本体の内壁との間で挟み、該ごみ袋の上部を開口保持する環状部を有し、該環状部の形状及び大きさは、使用されるごみ箱本体の上部の内側の形状及び大きさと略同一であることを特徴とするごみ袋保持体。
【請求項８】
前記環状部が可撓性を有する材料からなることを特徴とする請求項７に記載のごみ箱。
【請求項９】
前記ごみ袋保持体が筒状体からなり、該筒状体の上部が前記環状部になっていることを特徴とする請求項７に記載のごみ箱。
【請求項１０】
前記略筒状体に長手方向に向けて切り込みが間隔をおいて設けられていることを特徴とする請求項９に記載のごみ箱。
【請求項１１】
前記ごみ袋保持体が環状部と、該環状部を下方から支える複数の支持桿からなることを特徴とする請求項７に記載のごみ箱。
【請求項１２】
前記支持桿の下端部がリング状に繋がっていることを特徴とする請求項１１に記載のごみ箱。
【考案の詳細な説明】
【技術分野】
【０００１】
本考案は、家庭やオフィス等の各室内に置いて使用するごみ箱とごみ袋保持具に関するものである。
【背景技術】
【０００２】
家庭やオフィス等の各室内では種々のゴミが出る。出てきたゴミは家庭やオフィス等の各室内に置いてあるごみ箱に一時的に入れておき、ゴミがある程度の量になったら、或いは定期的に、ごみ箱の中のゴミをゴミ置き場に持って行って捨てる。
【０００３】
ところで、家庭やオフィス等の各室内に置いてあるごみ箱をそのままの状態で使用した場合、ごみ箱の中のゴミをゴミ置き場に持って行って捨てる際に、ごみ箱の中のゴミをゴミ置き場に持って行くことができるように、ゴミ捨て用の袋に入れ換えなければならない。
【０００４】
ごみ箱の中のゴミをゴミ捨て用の袋に入れ換える際は、ごみ箱の中のゴミを素手で摘んでゴミ捨て用の袋に移さなければならない場合があり、このような場合は手が汚れるという問題がある。
【０００５】
また、ごみ箱の中に多数のゴミが入っていて、ごみ箱の中のゴミを一つ一つ拾い上げてゴミ捨て用の袋に入れなければならない場合は作業が面倒であるという問題がある。
【０００６】
そこで、普通は、スーパーマーケットで買い物をした時に貰うプラスチックの買い物袋（以下、スーパーの袋という。）を、ごみ箱の中に、底部分を下にして筒状に拡げて入れ、開口部に近い上の部分をごみ箱の外側に折り返して、スーパーの袋の上の部分をごみ箱の上縁に引っ掛け、スーパーの袋の上部を開口した状態にし、この状態のスーパーの袋の中にゴミを投入するようにしている。
【０００７】
しかし、スーパーの袋をこの状態にして使用していると、スーパーの袋の上の部分が外から丸見えになり、部屋の中をきれいに整頓したり、調度品等できれいに飾っていても、部屋の中に生活感が漂い、見苦しい。
【０００８】
そこで、人によっては、スーパーの袋を、ごみ箱の中に、底部分を下にして筒状に拡げて入れ、開口部に近い上の部分をごみ箱の中で内側に折り返すことによって、スーパーの袋の上の部分が外から見えないようにして使用している。
【先行技術文献】
【特許文献】
【０００９】
【特許文献１】実用新案登録第３０３０８７７号公報
【考案の概要】
【考案が解決しようとする課題】
【００１０】
しかし、スーパーの袋をこのような状態にしてごみ箱の中に設置していると、スーパーの袋の折り返した部分が次第に内側に寄ってきて開口している面積が狭くなり、投入したゴミがスーパーの袋の折り返した部分に乗るようになり、このゴミの重さでスーパーの袋の折り返した部分が下にずり落ち、スーパーの袋の全体がごみ箱の底の方に沈んでしまい、ごみ箱の中に設置したスーパーの袋がゴミを入れる袋として役に立たなくなることがあるという問題があった。
【課題を解決するための手段】
【００１１】
本考案者はこれらの不都合を解決する手段について鋭意研究し、本考案をなすに至った。
【００１２】
すなわち、本考案は、ごみ箱本体と、該ごみ箱本体内に挿入されるごみ袋を保持するごみ袋保持体とを備え、該ごみ箱本体は上部が開口し、底部が塞がっている容器からなり、該ごみ袋保持体は、該ごみ袋を囲繞し、該ごみ袋の上部の折り返し部を該ごみ箱本体の上部の内壁との間で挟み、該ごみ袋の上部を開口保持する環状部を有し、該環状部の形状及び大きさは該ごみ箱本体の上部の内側の形状及び大きさと略同一であることを最も主要な特徴とする。
【００１３】
ここで、該ごみ箱本体の形状としては、例えば円筒形、四角筒形、逆円錐台形、逆四角錐台形、曲線を描く形状など、任意の形状を採用することができるが、該ごみ箱本体の形状はこれらに限定されるものではなく、上部が開口していて、底部が塞がっている容器であれば、如何なる形状であってもよい。
【００１４】
また、ごみ箱本体を形成する材料としては、例えばプラスチック板、金属板、木板等を挙げることができるが、ある程度の硬さを有する板状の材料であれば何を使用してもよい。
【００１５】
また、プラスチック板としては表側の面がきれいなプラスチック板又は装飾されたプラスチック板からなる積層プラスチック板を使用してもよい。また、木板としては表側の面がきれいな木板又は装飾された木板からなる積層合板を使用してもよい。
【００１６】
また、該ごみ箱本体を皮革等を縫製して形成した装飾カバー等で被覆してもよい。また、該ごみ箱本体には手を入れて持ち上げるための取手穴を側部の上縁近傍に設けてもよい。また、ごみ箱本体の外部に取っ手を設けてもよい。また、ごみ箱本体の上部に蓋を設けてもよい。
【００１７】
また、該ごみ袋保持具は、ごみ箱本体内に挿入されるごみ袋を囲繞し、該ごみ袋の上部の折り返し部を該ごみ箱本体の上方の内壁との間で挟み、該ごみ袋の上部を開口保持する環状部を有し、該環状部の形状及び大きさは、使用されるごみ箱本体の上部の内側の形状及び大きさと略同一になっている。
【００１８】
該ごみ袋保持具を形成する材料としては、例えば発泡プラスチック板、発泡スチロール板、柔らかいプラスチック板、薄い金属板、強度のある紙、ゴムシートなどを使用することができるが、ある程度以上のコシを有していて、可撓性を有する材料であれば、これら以外の材料を使用してもよい。
【００１９】
該ごみ袋保持具は板状体を略筒状に形成したものを使用することができる。該ごみ袋保持具は板状体を単純に略筒状に形成したものだけでなく、板状体の長手方向に向けて逆Ｖ字状の切り込みや矩形の切り込みを間隔をおいて設けたものでもよい。
【００２０】
該ごみ袋保持具の側部に逆Ｖ字状の切り込みや矩形の切り込みをこのように設けた場合、該ごみ袋保持具の下の部分を細く絞ることができるので、ごみ箱本体が逆円錐台形、逆四角錐台形などの形状の場合、ごみ箱本体内に該ごみ袋保持具を入れることが容易になる。
【００２１】
ただし、側部に逆Ｖ字状の切り込みや矩形の切り込みをこのように設けた該ごみ袋保持具は、該ごみ箱本体が逆円錐台形、逆四角錐台形などの形状の場合に限られるものではなく、単純な円筒状のごみ箱本体に入れて使用することはもちろん可能である。
【００２２】
また、該ごみ袋保持体は環状部と、該環状部を下方から支える複数の支持桿により形成してもよい。該支持桿の下端部は連結部でリング状に繋げてもよい。
【考案の効果】
【００２３】
本考案に係るごみ箱は、ごみ袋の折り返し部分を、ごみ箱本体の内側に隠した状態で、ごみ箱本体の上部位置に開口保持しておくことができ、従って、外部から見える生活感のような見苦しさを隠すことができるという利点がある。
【００２４】
また、本考案のごみ箱は、ごみ袋保持具のリング部を可撓性のある材料で形成した場合、該リング部を手で内側に曲げてごみ箱との間に隙間を形成し、この隙間にごみ袋の上の部分を押し込むことができるので、ごみ箱とごみ袋保持具との間の隙間にごみ袋の上の部分を挟み込むことが容易になるという利点がある。
【図面の簡単な説明】
【００２５】
【図１】図１は本考案の実施例１に係るごみ箱の斜視図である。
【図２】図２は本考案の実施例１に係るごみ箱の断面図である。
【図３】図３は本考案の実施例２に係るごみ箱の斜視図である。
【図４】図４は本考案の実施例２，３に係るごみ箱に使用するごみ袋保持具の一例の展開図である。
【図５】図５は本考案の実施例２に係るごみ箱の断面図である。
【図６】図６は本考案の実施例３に係るごみ箱の斜視図である。
【図７】図７は本考案の実施例３に係るごみ箱の断面図である。
【図８】図８は本考案の実施例４に係るごみ箱の斜視図である。
【図９】図９は本考案の実施例５に係るごみ箱の斜視図である。
【図１０】図１０は本考案の実施例６に係るごみ箱の斜視図である。
【図１１】図１１は本考案の実施例７に係るごみ箱の斜視図である。
【図１２】図１２は本考案の実施例２，３に係るごみ箱に使用するごみ袋保持具のの他の例の展開図である。
【図１３】図１３は本考案に係るごみ袋保持具の他の例１を示す斜視図である。
【図１４】図１４は本考案に係るごみ袋保持具の他の例２を示す斜視図である。
【考案を実施するための形態】
【００２６】
本考案は、ごみ箱本体の中に設置したごみ袋の上の部分がごみ箱本体の内壁から下方にずり落ちないようにするという目的を、簡単な構成で、ごみ箱の使い勝手を損なうことなく実現した。
【実施例１】
【００２７】
図１は本考案の実施例１に係るごみ箱の斜視図、図２は本考案の実施例１に係るごみ箱の断面図である。これらの図において、１０はごみ箱であり、ごみ箱１０は、ごみ箱本体１２と、ごみ箱本体１２の内部に同軸に挿入されたごみ袋保持具１４とからなる。
【００２８】
ごみ箱本体１２は、上部が開口していて、底部が塞がった、円筒形の形状をしている。ごみ箱本体１２はプラスチックの成形体により形成されている。ごみ箱本体１２の側部の外側にはきれいなプラスチック層が被覆され、見栄えを良くしている。
【００２９】
ごみ袋保持具１４は、上部も底部も開口している円筒体からなる。ごみ袋保持具１４の外側の形状及び大きさはごみ箱本体１２の内部の形状及び大きさと略同じになっている。ごみ袋保持具１４は、数ミリメートル程度の厚さを有するスポンジ状の発泡プラスチックシートからなる。
【００３０】
このごみ箱にスーパーの袋１６を取り付ける場合は、まず、ごみ袋保持具１４の中にスーパーの袋１６を、底部を下にして筒状に拡げた状態で挿入する。そして、スーパーの袋１６の上の部分をごみ袋保持具１４の上縁から外側に折り返し、折り返した部分はごみ袋保持具１４とごみ箱本体１２との間に挟み込む。
【００３１】
スーパーの袋１６の上の部分は、このようにしてごみ袋保持具１４とごみ箱１０の間に挟まれるので、投入したゴミによってスーパーの袋１６に多少の荷重が加わっても、ずり落ちることがなくなる。
【実施例２】
【００３２】
図３は本考案の実施例２に係るごみ箱の斜視図、図４は本考案の実施例２，３に係るごみ箱に使用するごみ袋保持具の一例の展開図、図５は本考案の実施例２に係るごみ箱の断面図である。これらの図において、１０はごみ箱であり、ごみ箱１０は、ごみ箱本体１２と、ごみ箱本体１２の内部に同軸に挿入されたごみ袋保持具１４とからなる。
【００３３】
ごみ箱本体１２は、上部が開口していて、底部が塞がった、逆円錐台形の形状をしている。ごみ箱本体１２は合板により形成されている。ごみ箱本体１２の側部の外側にはきれいな合板層が被覆され、見栄えを良くしている。ごみ箱本体の側部の上縁近傍には手を入れて持ち上げるための取手穴１８が形成されている。
【００３４】
ごみ袋保持具１４は、上部も底部も開口している逆円錐形をしている。ごみ袋保持具１４の外側の形状及び大きさはごみ箱本体１２の内部の形状及び大きさと略同じになっている。ごみ袋保持具１４は、数ミリメートル程度の厚さを有するスポンジ状の発泡プラスチック板からなる。
【００３５】
ごみ袋保持具１４は、図４に示すように、上部の開口部の近傍を連続的に繋げた状態で、側部に複数の逆Ｖ字状の切り溝２０を軸方向に平行に所定間隔をおいて設けられたものからなる。ごみ袋保持具１４は、ごみ箱本体１２の中に入れられたとき、下方がすぼまって、逆円錐台形の形状になる。
【００３６】
このごみ箱にスーパーの袋１６を取り付ける場合は、図５に示すように、まず、ごみ袋保持具１４の中にスーパーの袋１６を、底部を下にして筒状に拡げた状態で挿入する。そして、スーパーの袋１６の上の部分をごみ袋保持具１４の上縁から外側に折り返し、折り返した部分はごみ袋保持具１４とごみ箱本体１２との間に挟み込む。
【００３７】
スーパーの袋１６の上部は、このようにしてごみ袋保持具１４とごみ箱１０の間に挟まれるので、投入したゴミによってスーパーの袋１６に多少の荷重が加わっても、ずり落ちることがなくなる。
【実施例３】
【００３８】
図６は本考案の実施例３に係るごみ箱の斜視図、図７は本考案の実施例３に係るごみ箱の断面図である。これらの図において、１０はごみ箱であり、ごみ箱１０は、ごみ箱本体１２と、ごみ箱本体１２の内部に同軸に挿入されたごみ袋保持具１４とからなる。
【００３９】
ごみ箱本体１２は、上部が開口していて、底部が塞がった、逆四角錐台形の形状をしている。ごみ箱本体１２はプラスチックの成形体により形成されている。ごみ箱本体１２は、見栄えを良くするために、合成皮革を縫製して形成した装飾カバー２２で被覆されている。
【００４０】
ごみ袋保持具１４は、上部も底部も開口していて、筒状になっている。ごみ袋保持具１４の外側の形状及び大きさはごみ箱本体１２の内側の形状及び大きさと略同じになっている。ごみ袋保持具１４は、数ミリメートル程度の厚さを有するスポンジ状の発泡プラスチック板からなる。
【００４１】
ごみ袋保持具１４は、図４に示すように、上部の開口部の近傍を連続的に繋げた状態で、側部に複数の逆Ｖ字状の切り溝２０を軸方向に平行に所定間隔をおいて設けられたものからなる。ごみ袋保持具１４は、ごみ箱本体１２の中に入れられたとき、下方がすぼまって、逆四角錐台形の形状になる。
【００４２】
このごみ箱にスーパーの袋１６を取り付ける場合は、図７に示すように、まず、ごみ袋保持具１４の中にスーパーの袋１６を、底部を下にして筒状に拡げた状態で挿入する。そして、スーパーの袋１６の上の部分をごみ袋保持具１４の上縁から外側に折り返し、折り返した部分はごみ袋保持具１４とごみ箱本体１２との間に挟み込む。
【００４３】
スーパーの袋１６の上部は、このようにしてごみ袋保持具１４とごみ箱１０の間に挟まれるので、投入したゴミによってスーパーの袋１６に多少の荷重が加わっても、ずり落ちることはない。
【実施例４】
【００４４】
ごみ箱本体１２の形状は、図１〜７で説明した形状に限定されるものではなく、上部が開口していて、底部が塞がっている容器の形状であればよく、例えば、図８〜１１に示した形状、その他、如何なる形状でもよい。
【００４５】
また、ごみ袋保持具１４に形成する切り溝２０の形状は、図４に示すような逆Ｖ字状に限定されるものではなく、ある程度の幅を有していればよく、例えば、図１２に示すような細長い矩形、その他、如何なる形状でもよい。
【００４６】
図１３は本考案に係るごみ袋保持具の他の例１を示す斜視図、図１４は本考案に係るごみ袋保持具の他の例２を示す斜視図である。これらの図において、１４はごみ袋保持具であり、ごみ袋保持具１４は、リング部１４ａと、リング部１４ａの下方に設けられた複数本の支持桿１４ｂと、支持桿１４ｂの下端部をリング状に連結する連結部１４ｃとからなる。
【００４７】
ごみ袋保持具１４は、実施例１〜３で説明したのものや、図１３，図１４に示すものに限定されず、ごみ袋を囲繞し、ごみ袋の上部の折り返し部をごみ箱本体１２の内壁との間で挟み、ごみ袋の上部を開口保持できるものであれば、如何なる構造のものでもよい。
【符号の説明】
【００４８】
１０  ごみ箱
１２  ごみ箱本体
１４  ごみ袋保持具
１４ａ  環状部
１４ｂ  支持桿
１４ｃ  連結部
１６  スーパーの袋
１８  取手穴
２０  切り溝
２２  装飾カバー
【図１】
0003214637.tif 000003
【図２】
0003214637.tif 000004
【図３】
0003214637.tif 000005
【図４】
0003214637.tif 000006
【図５】
0003214637.tif 000007
【図６】
0003214637.tif 000008
【図７】
0003214637.tif 000009
【図８】
0003214637.tif 000010
【図９】
0003214637.tif 000011
【図１０】
0003214637.tif 000012
【図１１】
0003214637.tif 000013
【図１２】
0003214637.tif 000014
【図１３】
0003214637.tif 000015
【図１４】
0003214637.tif 000016
【手続補正書】
【提出日】平成29年11月22日(2017.11.22)
【手続補正１】
【補正対象書類名】実用新案登録請求の範囲
【補正対象項目名】全文
【補正方法】変更
【補正の内容】
【実用新案登録請求の範囲】
【請求項１】
ごみ箱本体と、該ごみ箱本体内に挿入されるごみ袋を保持するごみ袋保持体とを備え、該ごみ箱本体は上部が開口し、底部が塞がっている容器からなり、該ごみ袋保持体は、該ごみ袋を囲繞し、該ごみ袋の上部の折り返し部を該ごみ箱本体の上部の内壁との間で挟み、該ごみ袋の上部を開口保持する環状部を有し、該環状部の形状及び大きさは該ごみ箱本体の上部の内側の形状及び大きさと略同一であることを特徴とするごみ箱。
【請求項２】
前記環状部が可撓性を有する材料からなることを特徴とする請求項１に記載のごみ箱。
【請求項３】
前記ごみ袋保持体が筒状体からなり、該筒状体の上部が前記環状部になっていることを特徴とする請求項１に記載のごみ箱。
【請求項４】
前記筒状体に長手方向に向けて切り込みが間隔をおいて設けられていることを特徴とする請求項３に記載のごみ箱。
【請求項５】
前記ごみ袋保持体が環状部と、該環状部を下方から支える複数の支持桿からなることを特徴とする請求項１に記載のごみ箱。
【請求項６】
前記支持桿の下端部がリング状に繋がっていることを特徴とする請求項５に記載のごみ箱。
【請求項７】
ごみ箱本体内に挿入されるごみ袋を囲繞し、該ごみ袋の上部の折り返し部を該ごみ箱本体の内壁との間で挟み、該ごみ袋の上部を開口保持する環状部を有し、該環状部の形状及び大きさは、使用されるごみ箱本体の上部の内側の形状及び大きさと略同一であることを特徴とするごみ袋保持体。
【請求項８】
前記環状部が可撓性を有する材料からなることを特徴とする請求項７に記載のごみ袋保持体。
【請求項９】
前記ごみ袋保持体が筒状体からなり、該筒状体の上部が前記環状部になっていることを特徴とする請求項７に記載のごみ袋保持体。
【請求項１０】
前記筒状体に長手方向に向けて切り込みが間隔をおいて設けられていることを特徴とする請求項９に記載のごみ袋保持体。
【請求項１１】
前記ごみ袋保持体が環状部と、該環状部を下方から支える複数の支持桿からなることを特徴とする請求項７に記載のごみ袋保持体。
【請求項１２】
前記支持桿の下端部がリング状に繋がっていることを特徴とする請求項１１に記載のごみ袋保持体。